(57)【特許請求の範囲】
【請求項１】
一枚の板材から形成されて多数の開口部が規則的に設けられた平板状のパネルであって、
該各開口部の少なくとも一辺が、該パネル面と交差する面で形成されており、
前記開口部間が、パネルの全幅にわたり畝状に曲げられていることを特徴とする柵状パネル。
【請求項２】
前記パネル面と交差する面部分と、前記開口部間に挟まれる部分とにより、筒状部が形成されたことを特徴とする請求項１に記載する柵状パネル。
【発明の詳細な説明】
【０００１】
【発明の属する技術分野】
本発明はフェンスなどに適した柵状パネルに関し、さらに詳しくは、一枚の板材から形成されて、通気性、遮光性、強度、外観などが優れた柵状パネルに関する。
【０００２】
【発明が解決しようとする課題】
ベランダのフェンスなどに使用される柵状体は、外観や強度や通気性や目隠し性などに優れ、適度のコストで製造されるのが好ましい。従来より、形状や材質や構造が異なる種々柵状体が提案され実用されている。図１９に示される柵状体１００はその一例であるが、図２０に示されるように、一枚の板材から開口部１０２を打ち抜き、横桟となる開口部間１０４をＵ型に曲げて畝状としている。本例の柵状体１００は、一枚の板材から形成され、溶接などを必要とせずにプレス加工だけで成形できるので、作業が容易であり低コストで製造できる特徴がある。しかしながら、改善が期待される次のような課題があった。
【０００３】
すなわち、柵状体１００は、波板に類似した形状であるため、図１９における上下方向では容易に曲がってしまう。また、左右方向では、横桟となる開口部間１０４がＵ型とされているため比較的曲がりにくいが、用途によってはもっと高い剛性が必要とされるので、上下及び左右の曲げ強度向上が望まれている。一方、外観については、横桟が畝状に突起して見える表側はよいが、横桟が溝状に窪んで見える裏側に問題があり、表裏両側からの外観が評価される庭のフェンスなどには使用されにくい現状である。また、本例の開口部１０２は打ち抜きによって形成される。このため、打ち抜かれた板材部分は廃棄されることになり、省資源に反すると共に廃棄コストが必要となるので好ましくない。廃棄量をできるだけ少なくして有効に利用する工夫が望まれる。また、長いフェンスなどを構築する場合には、柵状体１００を連結しなければならないが、柵状体１００には連結される座が無いため、新たに連結座を設ける必要があり不便であると共にコストの上昇を招いている。
【０００４】
そこで本発明者は、曲げ強度、外観、材料の利用率、連結の作業性などに優れ、一枚の板材から形成される柵状パネルについて、鋭意検討を重ねた結果本発明に至ったのである。
【０００５】
【課題を解決するための手段】
本発明に係る柵状パネルの要旨とするところは、一枚の板材から形成されて多数の開口部が規則的に設けられた平板状のパネルであって、各開口部の少なくとも一辺が、パネル面と交差する面で形成されており、前記開口部間が、パネルの全幅にわたり畝状に曲げられていることにある。
【０００８】
さらに、かかる柵状パネルにおいて、パネル面と交差する面部分と、開口部間に挟まれる部分とにより、筒状部が形成されたことにある。
【００１０】
【発明の実施の形態】
次に、本発明に係る柵状パネル及び柵状体の実施形態を図面に基づいて詳しく説明する。
【００１１】
図１に示される柵状パネル１０は、本発明の特に有用な実施態様の一例であってフェンスなどに適して用いられる。平板状の柵状パネル１０は、全幅を横切る筒状の横桟１２と平板状の縦桟１４とで格子状に構成され、多数の短冊状の開口部１６が縦横に並んで規則的に設けられている。開口部１６の上下二辺１７、１９は、柵状パネル１０の面２５と直交する面２７、２９で形成され、左右の二辺２１、２３は切断端部で形成されている。本発明でいう、パネル面と交差する面で形成された辺とは、切断端部により区切られた辺ではなく、パネル面と一定角度で交差する平面又は曲面又は折れた面の中程に位置して形成された辺を意味する。図１９に示される従来の柵状体１００において、開口部１０２の上辺１０６と下辺１０８は、図２０に示されるように打ち抜きによって切断されて形成されたものである。したがって、Ｕ型に曲げられた面１１０及び面１１２で形成された辺ではなく、これらの切断端部の線によって形成された辺であり、本発明の定義の辺には含まれない。
【００１２】
柵状パネル１０は一枚の板材から形成される。すなわち、図２に示されるように、板材１８に多数の開口箇所２０を設定し、それぞれの位置でＨ型の打ち抜きを行う。次に、図３（ａ）で説明されるように、横桟部分２６を雄型２８と雌型３０で挟みプレスすることで畝状に曲げるが、同時に、雄型２８に隣接する平型３２と、雌型３０に隣接する平型３４とで、横桟部分２６と縦桟部分２４との交差点をＡ線に沿って直角に曲げる。その結果、コの字型の切り込み部２２がパネルの裏側に突き出すことになって、図３（ｂ）に示されるように、畝状の横桟部分２６と一体となってＵ型の横桟１２を形成することになる。
【００１３】
この時の柵状パネル１０は、図４に示されるように、横桟１２がＵ型に開いたままであるから、さらに、切り込み部２２を絞り込んで閉じることによって横桟１２を筒状とし、図１に示される柵状パネル１０とすることができる。
【００１４】
本例では、開口箇所２０での打ち抜きによってＨ型の打ち抜き物３１が発生するが、板材１８の材質や厚さによっては、図５（ａ）に示されるように、Ｈ型の両側直線部３２、３４が切り込みだけの打ち抜きとされ、打ち抜き物３１は短冊状となる。また、図５（ｂ）に示されるように、Ｈ型全てを切り込みだけとして、打ち抜き物が発生しないようにもできる。
【００１５】
図６は、柵状パネル１０をブロック塀に組み込んで使用した例である。柵状パネル１０はポール３６に支持されてブロック塀３８の一部に組み込まれている。図７に示されるように、柵状パネル１０は連結部材４０によってポール３６に固定されて立設されており、その頂部にはパイプ状の手摺４２が設けられている。
【００１６】
図８は、ブロック４６の上に柵状体４４を立てたフェンスの例である。柵状体４４は、柵状パネル１０を横に連結して構成したものであり、各々の柵状パネル１０はポール３６によってブロック４６の上に立設されている。柵状パネル１０どうしの連結は、互いに隣接する柵状パネル１０の、パイプ状の手摺４２や筒状の横桟１２に共通の連結棒を挿入することにより行われている。
【００１７】
本例の柵状パネル１０は、Ｈ型の打ち抜きによって製作されるので、従来の短冊型打ち抜きに較べ廃棄する材料ロスが大幅に減少する。また、横桟１２がパネルの全幅にわたり断面楕円状の筒とされているので、上下左右の曲げ強度が著しく向上する。また、横桟部分２６がＵ型の畝状に曲げられ切り込み部２２が絞られて丸くされているので、表裏のどちらから見ても優れた外観となっている。また、横桟１２が左右に長くされているので、通気性が高いにも関わらず、遮光性と目隠し性に優れている。
【００１８】
図１に例示される柵状パネル１０の横桟１２は、縦桟１４を基準にすれば左右に長さが異なる略楕円断面であるが、筒状とされる横桟１２の断面形状は本例に限定されず用途に基づき適切な形状が選択される。例えば図９は、縦桟部分２４を中心にして左右対称の略楕円断面とされた例であり、同図（ａ）では、上下の切り込み部２２が同じ長さで、切り込み部２２の先端どうしが突き合わされる突き合わせ部４８が真横にあり、同図（ｂ）では、上の切り込み部５０が下の切り込み部５２より長くて、突き合わせ部４８が右下にずれる例である。
【００１９】
また、図１０はその他の断面形状例を示すものである。同図（ａ）では円形、同図（ｂ）では正方形、同図（ｃ）ではホームプレート状の五角形、同図（ｄ）では表側が四角裏側が円弧、同図（ｅ）では菱形、同図（ｆ）では八角形、同図（ｇ）では前面だけに設けられた四角形の例が示されている。
【００２０】
図１に例示される柵状パネル１０では、Ｈ型の打ち抜きにより、開口箇所２０に２個のコの字型切り込み部２２を形成し、開口部１６の上下二辺がパネル面と交差する面２７、２９で形成されるようにされた。また、上下の切り込み部２２の長さが異なる例を図９（ｂ）に示した。しかしながら、本発明は、開口部１６の少なくとも一辺がパネル面と交差する面で形成されていればよく、例えば、図１１（ｂ）に示されるように、開口箇所２０を１個のコの字型で打ち抜き、横桟部分２６（図中省略）を畝状に曲げて切り込み部２２を絞って丸めることにより、同図（ａ）に示されるような略楕円断面の筒状の横桟１２を形成できる。本例では、開口部１６の下辺だけがパネル面と交差する面２９で形成されている。本例の柵状パネルにおいても、図１に例示される柵状パネル１０と同様に、強度や外観や遮光性や目隠し性の向上、材料ロスの低減等々の効果が得られて有用である。
【００２１】
開口部１６の相対する二辺がパネル面と交差する面で形成されれば、切り込み部２２が短くなるので、絞り加工が容易になると共に横桟１２の強度がより向上する効果がある。
【００２２】
上述した柵状パネル１０の例では横桟１２は全て筒状とされていた。筒状であるため特に強度の向上が顕著であり、表裏両面からの外観が優れ、柵状パネル１０どうしを連結するために連結棒を挿入できるなどの機能も得られる。しかしながら、本発明は、横桟１２が筒状であることに限定されない。例えば、図１２（ａ）に示される横桟１２は横桟部分２６が畝状に曲げられているが、切り込み部２２は裏側に棚状に突出してるだけで閉じられていない。本例の柵状パネルによれば、図１９に例示される従来の柵状体１００と較べ、材料ロスが低減され、遮光性や目隠し性などが改善される効果が得られる。同図（ｂ）では、裏側に棚状に突出してる切り込み部２２が上方を凹にして丸められているので、強度が向上し、横桟１２内に連結部材などを出し入れしやすくなるなどの効果がある。また同図（ｃ）では、裏側に棚状に突出してる切り込み部２２が上下２枚とされているので、この間に裏側から連結部材を挿入して嵌め合わせたりするのに便利である。
【００２３】
横桟部分２６を畝状に曲げれば、横桟１２の強度が増し外観が改善される。畝の形状は、Ｕ型に限らず、図１０に示されるように、円弧であったり三角であったり四角であったりしてもよい。畝状とは略同一断面の突起が長く連続的に設けられた状態をいう。図１３（ａ）には、横桟部分２６を低い畝状に曲げた例が示されているが、本発明は、横桟部分２６が畝状に曲げられることに限定されない。図１３（ｂ）は、横桟部分２６を平のままとされた横桟１２の例を示している。本例の筒状横桟１２は、図２に示されるコの字型の切り込み部２２を、その底辺線Ａに沿って曲げ、切り込み部２２を絞って丸くすることにより形成される。本例の横桟１２を備えた柵状パネルにおいても、強度や外観が向上し材料ロスが低減されるのは明らかである。
【００２４】
通常、図３で説明される畝状の曲げ加工は、横桟部分２６と縦桟部分２４とを合わせた１列ずつで行われる。Ｕ型に凸に引っ張られる分を両側から送り込む必要があるので、２列以上を同時に曲げ加工するのは難しい場合が多い。しかしながら、板材が展性に優れた材質であったり畝の高さが低い場合などには、２列以上を同時に曲げ加工できる。図１４に示される柵状パネル１０では、太い横桟５８と細い横桟６０とを同時に曲げ加工して交互に設けた例である。
【００２５】
同様に、図１５に示される柵状パネル１０も、横桟６２、６４を同時に成形することにより製造される例である。同図（ａ）に示される柵状パネル１０では、開口部１６が交互に、いわゆる千鳥に配設されており、同図（ｂ）に示される柵状パネル１０では、幅の異なる開口部１６の列が交互に並べられている。横桟６２、６４が図１３（ｂ）に示されるように平のままであれば、切り込み部２２の曲げ加工だけなので、２列以上の同時加工は容易である。
【００２６】
図１６（ａ）に示される柵状パネル１０では、横桟１２と縦桟１４の両方が筒状とされている。同図（ｂ）で説明されるように、方形の開口箇所の四辺に台形状の切り込み部２２を残して打ち抜き物６６を打ち抜き、４個の切り込み部２２を折り曲げ線５４に沿って裏側に曲げ丸く絞り込む。その結果、横桟１２と縦桟１４の両方が、図１３に示されるような断面の筒状とされた柵状パネル１０が得られる。本例の柵状パネル１０では、開口部１６の四辺全てが、パネル面と交差する面で形成されている。
【００２７】
あるいはまた、環状の筒状部が配設された柵状パネル１０を製作することもできる。図１７（ｂ）に説明されるように、環部分６８の両側に切り込み部７０、７２が残るようにして、打ち抜き物７４、７６を打ち抜き、切り込み部７０、７２を折り曲げ線５４に沿って裏側に曲げ丸く絞り込むことにより、同図（ａ）に示されるような、環状の筒状部７８が縦横に配設された柵状パネル１０を製作できる。本例の柵状パネル１０では、開口部８０の全周辺及び開口部８２の四辺が、パネル面と交差する面で形成されている。
【００２８】
本発明の柵状パネルは、鋼板やアルミ板などの金属板、ポリプロピレンやポリカーボネートなどのプラステック板を用いて製作される。金属板は展性に優れていて加工しやすく高強度のため好ましく用いられる。また、プラステック板は軽量であり、加熱して軟化させることにより複雑な形状にも加工できるので、用途によって好ましく用いられる。
【００２９】
本発明の柵状パネルは、ベランダや庭のフェンスに使用される他、エアコン風方向調整板、飾り建材パネル、シャッター、熱交換器、配線用ダクト、コンベアー、建築内外装材、遮光材、溝蓋、各種補強材等々に広く利用される。また、平板状で使用される他、例えば、図１８に示されるように、パイプ８４や柱などに巻き付けて補強材や化粧材として使用することも可能である。柵状パネル１０の上下の連結は、隣接する筒状部８６に連結棒を挿入することによって容易に行える。
【００３０】
また、本発明の柵状パネルは、単独で用いられる他、連結されて長いフェンスなどとして用いられたり、一部を切除して他の部材と組み合わされたり、筒状部を切り離してパイプとして用いたり、円筒状や円弧状に曲げて柱などの構造材として用いたり、補強部材や装飾部材などとして用いられる。
【００３１】
本発明は上述の説明に限定されるものではなく、その趣旨を逸脱しない範囲内で、柵状パネルの材質や形状や製造方法、柵状パネルの連結方法や固定方法などにつき、当業者の知識に基づき種々なる改良、修正、変形を加えた態様で実施し得るものである。
【００３２】
【発明の効果】
本発明に係わる柵状パネルによれば、一枚の板材から形成され、溶接などを必要とせずにプレス加工だけで成形できるので、作業が容易であり低コストで製造できる。また、開口部の少なくとも一辺がパネル面と交差する面で形成されているので、開口部近くが弧又は角に曲がった構造となってパネルの曲げ強度が向上し、該交差する面の張出しにより遮光性や目隠し性が改善される。また、開口箇所の全てが打ち抜かれるのではなく、その一部又は全部が残されるので、廃棄する材料ロスが大幅に減少する。
【００３３】
特に、開口部の相対する二辺がパネル面と交差する面で形成されれば、切り込み部が短くなるので、絞り加工が容易になると共に横桟の強度がより向上する効果がある。
【００３４】
さらに、開口部間がパネルの全幅にわたり畝状に曲げられて横桟又は縦桟が形成されれば、パネルの強度が向上し、立体感のある外観が得られる。
【００３５】
さらにまた、開口部の少なくとも一辺を形成する面部分と、開口部間に挟まれる部分とにより筒状の横桟又は縦桟が形成されれば、筒状であるためさらに強度が向上し、表裏両面からの外観が向上し、横桟又は縦桟に連結棒を挿入して柵状パネルどうしを連結できるようになる等の効果がある。
【００３６】
また、本発明に係わる柵状体によれば、柵状パネルが横に連結されて長いフェンスなどに使用でき、縦や縦横に連結されて各種建材などに使用できる。また、柵状パネルの一部を切除した柵状体とされ、他の部材と組み合わされて製品を構成することができる。あるいは、円筒状や円弧状に曲げられた柵状体とされ、柱としたりベンチなどの構成部材としたりして用いることができる。
【図面の簡単な説明】
【図１】本発明に係る柵状パネルの一例を示し、同図（ａ）は正面図、同図（ｂ）は側面図である。
【図２】本発明に係り、図１に示される柵状パネルを製作するための打ち抜き部を模式的に示す平面図である。
【図３】本発明に係り、図１に示される柵状パネルを製作するための曲げ加工方法を模式的に説明する側方断面図であり、同図（ａ）はプレス機、同図（ｂ）は加工後の横桟を拡大して示すものである。
【図４】本発明に係り、図３で説明される曲げ加工後の柵状パネルを示し、同図（ａ）は正面図、同図（ｂ）は側面図である。
【図５】本発明に係り、Ｈ型打ち抜きの例を示す平面図であり、同図（ａ）は短冊状の打ち抜き部分が発生する型、同図（ｂ）は打ち抜き部分が発生しない型の例である。
【図６】本発明に係り、柵状パネルをフェンスに使用する例を示し、同図（ａ）は正面図、同図（ｂ）は側方断面図である。
【図７】本発明に係り、図６に示される柵状パネルの固定部を拡大して示す側方断面図である。
【図８】本発明に係り、柵状パネルをフェンスに使用する他の例を示す正面図である。
【図９】本発明に係り、開口部間に形成される筒状部の形状例を模式的に示す側方断面図であり、同図（ａ）は真横で閉じた例、同図（ｂ）は下方で閉じた例である。
【図１０】本発明に係り、開口部間に形成される筒状部の他の形状例を模式的に示す側方断面図であり、同図（ａ）は円、同図（ｂ）は正方形、同図（ｃ）は五角形、同図（ｄ）は四角と円弧の組み合わせ、同図（ｅ）は菱形、同図（ｆ）は八角形、同図（ｇ）は前面だけに設けられた四角形の例である。
【図１１】本発明に係り、開口部間に形成される筒状部の他の形成方法を説明するものであり、同図（ａ）は筒状部の側方断面図円、同図（ｂ）は打ち抜き形状を示す平面図である。
【図１２】本発明に係り、開口部間に形成される桟部分の形状例を示す側方断面図であり、同図（ａ）は１個の切り込み部が後方に伸びた例、同図（ｂ）は１個の切り込み部が後方に伸びて曲げられた例、同図（ｃ）は２個の切り込み部が後方に伸びた例である。
【図１３】本発明に係り、開口部間に形成される筒状部の他の形状例を模式的に示す側方断面図であり、同図（ａ）は表側を低い畝状に曲げた例、同図（ｂ）は表側を平らのままとした例である。
【図１４】本発明に係り、開口部間に形成される筒状部の他の形状例を模式的に示す側方断面図である。
【図１５】本発明に係り、開口部の配設例を示す柵状パネルの正面図であり、同図（ａ）はいわゆる千鳥状に配設した例、同図（ｂ）は大きい開口部と小さい開口部とを交互に配設した例である。
【図１６】本発明に係り、縦桟と横桟を筒状にした柵状パネルの例を示し、同図（ａ）は柵状パネルの正面図、同図（ｂ）は開口箇所の打ち抜き方法を説明する平面図である。
【図１７】本発明に係り、環状の筒状部が配設された柵状パネルの例を示し、同図（ａ）は柵状パネルの正面図、同図（ｂ）は開口箇所の打ち抜き方法を説明する平面図である。
【図１８】本発明に係り、柵状パネルの使用例を示し、同図（ａ）は正面図、同図（ｂ）は上面図である。
【図１９】従来例に係る柵状パネルの一例を示し、同図（ａ）は正面図、同図（ｂ）は側面図である。
【図２０】従来例に係り、図１９に示される柵状パネルを製作するための打ち抜き部を模式的に示す平面図である。
【符号の説明】
１０：柵状パネル
１２、５８、６０、６２、６４：横桟
１４：縦桟
１６、８０、８２、１０２：開口部
１７、１０６：開口部の上辺
１８：板材
１９、１０８：開口部の下辺
２０：開口箇所
２１、２３：側辺
２２、５０、５２、７０、７２：切り込み部
２４：縦桟部分
２５、２７：開口部を形成する面
２６：横桟部分
２８：雄型
３０：雌型
３１、６６、７４、７６：打つ抜き物
３２、３４：打ち抜き部の左右端
３６：ポール
３８：ブロック塀
４０：連結部材
４２：手摺り
４４、１００：柵状体
４５：連結部
４６：ブロック
４８、５６：突き合わせ部
５４：折り曲げ線
６８：環部分
７８、８６：筒状部
８４：パイプ
１０４：開口部間
１１０：畝状横桟の下面
１１２：畝状横桟の上面
Ａ：コの字形打ち抜き部の底辺
Ｂ：コの字形打ち抜き部の先端
【図１】
0004013214.tif 000002
【図２】
0004013214.tif 000003
【図３】
0004013214.tif 000004
【図４】
0004013214.tif 000005
【図５】
0004013214.tif 000006
【図６】
0004013214.tif 000007
【図７】
0004013214.tif 000008
【図８】
0004013214.tif 000009
【図９】
0004013214.tif 000010
【図１０】
0004013214.tif 000011
【図１１】
0004013214.tif 000012
【図１２】
0004013214.tif 000013
【図１３】
0004013214.tif 000014
【図１４】
0004013214.tif 000015
【図１５】
0004013214.tif 000016
【図１６】
0004013214.tif 000017
【図１７】
0004013214.tif 000018
【図１８】
0004013214.tif 000019
【図１９】
0004013214.tif 000020
【図２０】
0004013214.tif 000021